(57)【要約】　　　（修正有）【課題】広告用印刷物に葉書きを付けても広告の量が多いことで、広告用印刷物の費用の採算を取ることが出来、かつレスポンスを多く期待できる広告用印刷物を提供すること。【解決手段】左右に開くことが出来るように左右の所定の箇所に切り込み８、８’が入っていて、かつ所定の箇所に、剥離可能な接着剤が塗布され、圧着されている広告用印刷物において、当該広告用印刷物の表面の所定の箇所に切り取り可能に葉書き４が設けられていること。【選択図】　図１
0003096910.tif 000002
【実用新案登録請求の範囲】
【請求項１】
左右に開くことが出来るように左右の所定の箇所に切り込みが入っていて、かつ所定の箇所に、剥離可能な接着剤が塗布され、圧着されている広告用印刷物において、当該広告用印刷物の表面の所定の箇所に切り取り可能に葉書きが設けられていることを特徴とする葉書き付き広告用印刷物。
【請求項２】
一方側にのみ開くことが出来るように左右の所定の箇所に切り込みが入っていて、かつ開く側の一方側の所定の箇所に、剥離可能な接着剤が塗布され、圧着されている広告用印刷物において、当該広告用印刷物の他方側は開くことがないように接着剤にて接着され一枚になっており、さらに当該他方側の所定の箇所に切り取り可能に葉書きが設けられていることを特徴とする葉書き付き広告用印刷物。
【請求項３】
ブック型の広告用印刷物の表紙の裏面及び裏表紙の表面が剥離可能に接着するように所定の箇所に剥離可能な接着剤が塗布され、圧着されており，当該表紙の表面は中を開いてみたくなるような興味を惹くデザイン及び文章が施され，表紙を開いた中のページに具体的かつ詳細なデザイン、文章及び情報が記載されており，
かつ一枚の紙を２枚に折り、上の部分の表面は中を開いてみたくなるような興味を惹くデザイン及び文章が施され，当該表面を開いた内側の面は具体的かつ詳細なデザイン、文章及び情報が記載されており，上の部分の下部は葉書きとなっており、上の部分と下の部分との間には葉書きを切り取るための切り取り線が付けられている葉書き付き広告用印刷物が当該ブック型広告用印刷物の所定の箇所に設けられていることを特徴とする葉書き付き広告用印刷物。
【考案の詳細な説明】
【０００１】
【考案の属する技術分野】
本考案は葉書き付き広告用印刷物に関する。
【０００２】
【従来の技術】
従来、広告用印刷物に葉書きが設けられている場合、葉書きは大きさと厚さが定められているので一定の大きさ、特に厚さの基準に合致するため広告用印刷物も必然的に葉書きと同一の厚みをもったものを使用していた。
【０００３】
【考案が解決しようとする課題】
従来技術のように、広告用印刷物に葉書きを付ける場合、葉書きと同一の厚さ及び重さ等の条件に適合させるには厚紙を使用すること、又は薄い紙を２枚重ねること等をしなければならず費用がかなり嵩み採算が合わないという問題点があった。
【０００４】
そこで、本考案は、広告用印刷物に葉書きを付けても広告の量が多いことで、広告用印刷物の費用の採算を取ることが出来、かつレスポンスを多く期待できる広告用印刷物を提供することを目的とする。
【０００５】
【課題を解決するための手段】
前記目的を達成するため、本考案の葉書き付き広告用印刷物は、
左右に開くことが出来るように左右の所定の箇所に切り込みが入っていて、かつ所定の箇所に、剥離可能な接着剤が塗布され、圧着されている広告用印刷物において、当該広告用印刷物の表面の所定の箇所に切り取り可能に葉書きが設けられていることからなる。
【０００６】
又、本考案の葉書き付き広告用印刷物は、
一方側にのみ開くことが出来るように左右の所定の箇所に切り込みが入っていて、かつ開く側の一方側の所定の箇所に、剥離可能な接着剤が塗布され、圧着されている広告用印刷物において、当該広告用印刷物の他方側は開くことがないように接着剤にて接着され一枚になっており、さらに当該他方側の所定の箇所に切り取り可能に葉書きが設けられていることからなる。
【０００７】
さらに、本考案の葉書き付き広告用印刷物は、
ブック型の広告用印刷物の表紙の裏面及び裏表紙の表面が剥離可能に接着するように所定の箇所に剥離可能な接着剤が塗布され、圧着されており，当該表紙の表面は中を開いてみたくなるような興味を惹くデザイン及び文章が施され，表紙を開いた中のページに具体的かつ詳細なデザイン、文章及び情報が記載されており，
かつ一枚の紙を２枚に折り、上の部分の表面は中を開いてみたくなるような興味を惹くデザイン及び文章が施され，当該表紙を開いた内側の面は具体的かつ詳細なデザイン、文章及び情報が記載されており，上の部分の下部は葉書きとなっており、上の部分と下の部分との間には葉書きを切り取るための切り取り線が付けられている葉書き付き広告用印刷物が当該ブック型広告用印刷物の所定の箇所に設けられていることからなる。
【０００８】
本考案に用いられる広告用印刷物は表面に広告を読む人が中を開いて見てみたくなるような興味を惹くデザイン及び文章等が施されていて、当該表面を開いた際に見ることの出来る具体的かつ詳細なデザイン、文章及び情報が左及び右の裏面並びに中面に記載されているものであり（本願出願人の実願２００３−１４８４を参照）、かつブック型の広告用印刷物も表面には中を開いてみたくなるような興味を惹くデザイン及び文章が施されていて、表面を開いた中のページには具体的かつ詳細な情報等が記載され、かつブック型広告用印刷物の所定の箇所のページに設けられた葉書き付き広告用印刷物においても表面は中を開いてみたくなるような興味を惹くデザイン及び文章が記載され、表面を開いた内側の面は具体的かつ詳細な情報が記載されている。
したがって、広告を読む人に本来、広告として読者に読んでもらいたい事項を確実に読ませることが出来るので、その広告に掲載されている商品等を当該会社等に注文することが必然的に増えてくるものである。そこで広告用印刷物自体に葉書きが付いていれば、その葉書きにてすぐに注文を出すことが出来ることになり、一般消費者等の多数のレスポンスを期待出来、広告に掲載されている商品等の購買力をより一層高めることが出来、広告としての機能をより効果的に発揮することが出来るものである。
【０００９】
【考案の実施の形態】
以下、本考案の実施の形態の一例を図面に基づいて説明する。
図１は通常行われている方法で所定の箇所（左、右の上、下、中央部分）に剥離可能な接着剤が塗布され、圧着されていて左右に開くことが出来る広告用印刷物において、切り取り可能に葉書きが設けられている状態を示す図である。
広告用印刷物の表面の右下側に葉書き４が設けられていて、切り取り線であるミシン目５が入れられ、葉書き４を切り取ることが出来るようになっている。広告用印刷物には表面６の所定の箇所に切り込み８，８’が入っており、開く箇所、７，７’より左１，右２に開くことが出来るようになっている。このことから分かるように本考案は紙を２枚重ねたようになっている。したがって葉書き４も葉書きの厚さにすることが出来、葉書としての重さ、厚さ等の条件を適合させることが出来るものである。
【００１０】
図２は図１の葉書き付き広告用印刷物から葉書き４を切り取って開いた状態を示す図である。
図２は葉書き４の上の部分９が開くようになっているが、デザイン上等の都合により開かないようにしても良い（図示せず）。
図１の表面には中を開いてみたくなるようなデザイン、文章等が施され、その表面６を左１と右に開くと左１及び右２の内側（裏面）並びに中面３に具体的かつ詳細な情報が掲載されているようになっているので、その情報をみて、広告に対する返事、即ち、レスポンスを期待できるのであるがすでに葉書き４が切り取ってあるのでレスポンスを出すのも手間が掛からず簡単に出すことが出来、そのため広告の効果を非常に上げることが出来るものである。
【００１１】
又、本考案の葉書き付き広告用印刷物は左右に開くことが出来るので紙を２枚使用する形式になっているが、葉書き４は２枚の紙を接着剤で重ね合わせ一枚になっているので葉書を４を切り取らないと葉書き４の上の部分９を開くことが出来ないようになっている。そのため広告を全部読むためには葉書きを先に切り取らなければならないので、広告を読んでから葉書きを切り取って送付するという場合に比べて、葉書きを送付することが格段に増えるようになるものである。
【００１２】
又、従来技術のように紙を２枚重ね合わせたものは１枚目の裏面、２枚目の表面に広告の掲載がないが、本考案は１枚目の裏面（開いた際の左及び右の裏面）、２枚目の表面（中面）にも広告を掲載でき広告量が従来のものより非常に多く掲載できるものである。
【００１３】
図３は本考案の別の実施例を示す図である。
広告用印刷物の右側の下部に葉書き４が設けられ、その葉書き４には切り取り線であるミシンン目５が入っている。切り込み８が葉書き４のミシンン目５に沿って設けられており、葉書き４はミシン目５により切り取れば良く、この実施例では葉書きを切り取るか否かにかかわらず、開く箇所７より左１に開くことが出来るようになっている。表面６の左１の部分及び葉書き４の上の部分９には中を開いて見てみたくなるようなデザイン、文章が施されている。又上の部分９は本図面ではデザイン上等の理由により開かないようになっているが、下記の図４のように開くことが出来るようにしても良い。
【００１４】
図４は本考案のさらに別の実施例を示す図である。
図４に示す本考案の葉書き付き広告用印刷物はブック型の広告用印刷物の中で使用されるものであり、ブック型の広告用印刷物の所定のページに葉書き付き広告用印刷物が設けられている状態を示している。当該葉書き付き広告用印刷物は一枚の紙を２枚に折り、上の部分９の表面は中を開いて見てみたくなるような興味を惹くデザイン、文章等が施され、上の部分９の下部は葉書き４となっている。上の部分９と下部の葉書き４の間には切り取り線であるミシン目５が入れられている。
上の部分９は上部及び右側が接着剤で接着されておらず、葉書き４をミシン目５より切り取ってから左にすぐに開くことが出来るものである。上の部分９の表面には同様に中を開いて見てみたくなるような興味を惹くデザイン、文章が施され、その表面を左に開くと開いた内側の面には具体的かつ詳細な情報が記載されている。即ち開いてみたいという手段が２回施されていて、広告をみる人にさらなる興味を与えることが出来、しかも葉書き４が付いているので多数のレスポンスを期待出来るものである。
【００１５】
図５は図４の葉書き付き広告用印刷物から葉書き４を切り取って開いた状態を示す図である。
葉書き４を切り取ってから上の部分９を左に開くものである。図４及び図５の実施例はブック型の広告用印刷物であり、したがって広告の種類、量等が多数掲載することが出来、広告の種類、量を多数掲載したい場合には便利である。
【００１６】
本考案は以上の構成を有するので、広告用印刷物に葉書きを付けても広告の量が多いことで広告用印刷物の費用の採算を取ることができ、多数のレスポンスを期待出来、広告に掲載されている商品等の購買力を高めることが出来るものである。
【図面の簡単な説明】
【図１】本考案の切り取り可能な葉書きが設けられていることを示す図である。
【図２】図１の葉書き付き広告用印刷物から葉書きを切り取って開いた状態を示す図である。
【図３】本考案の別の実施例を示す図である。
【図４】本考案の葉書き付きブック型広告用印刷物を示す図である。
【図５】図４の葉書き付きブック型広告用印刷物から葉書きを切り取って開いた状態を示す図である。
【符号の説明】
１　　　　左
２　　　　右
３　　　　中面
４　　　　葉書き
５　　　　ミシン目
６　　　　表面
７，７’　開く箇所
８，８’　切り込み
９　　　　上の部分
【図１】
0003096910.tif 000003
【図２】
0003096910.tif 000004
【図３】
0003096910.tif 000005
【図４】
0003096910.tif 000006
【図５】
0003096910.tif 000007
【手続補正書】
【提出日】平成15年5月20日(2003.5.20)
【手続補正１】
【補正対象書類名】明細書
【補正対象項目名】全文
【補正方法】変更
【補正の内容】
【考案の詳細な説明】
【実用新案登録請求の範囲】
【請求項１】広告用印刷物であって，
一枚の用紙の左右（１，２）の周辺に剥離可能な接着剤を塗布し、一枚の用紙を左右に開くことが出来るように左右から折り、圧着していること，
広告用印刷物（６）の所定の箇所に切り取り可能に葉書き（４）が設けられていること，
からなることを特徴とする葉書き付き広告用印刷物。
【請求項２】広告用印刷物であって，
一枚の用紙を左右から折り、一方側は開くことが出来るように剥離可能な接着剤が内面に塗布され、他方側は接着剤が内面に塗布され、両側とも圧着されていること，
他方側の下部の所定の箇所に切り取り可能に葉書き（４）が設けられていること，
からなることを特徴とする葉書き付き広告用印刷物。
【請求項３】広告用印刷物であって，
当該広告用印刷物がブック型であること，
当該ブック型広告用印刷物の表紙の内側と裏表紙の内側とが剥離可能に接着するように所定の箇所に剥離可能な接着剤が塗布され、圧着されていること，
当該ブック型広告用印刷物の表紙の表面はデザイン及び文章が施されていること，
その表紙を開いた中のページには広告の内容が具体的に記載されていること，さらに、ブック型広告用印刷物の中の所定のページに葉書き付き広告用印刷物が設けられていること，
当該葉書き付き広告用印刷物は一枚の紙を２枚に折ったものであり，
当該一枚の紙を２枚に折った上の部分（９）の表面はデザイン及び文章が施されており，
当該上の部分（９）の表面を開いた内側の面には広告の内容が具体的に記載されており，
さらに、下部は葉書き（４）となっており，上の部分（９）と下部である葉書き（４）との間には葉書き（４）を切り取るための切り取り線（５）が付けられていること，
からなる葉書き付きのブック型広告用印刷物。
【考案の詳細な説明】
【０００１】
【考案の属する技術分野】
本考案は葉書き付き広告用印刷物に関する。
【０００２】
【従来の技術】
従来、広告用印刷物に葉書きが設けられている場合、葉書きは大きさと厚さが定められているので一定の大きさ、特に厚さの基準に合致するため広告用印刷物も必然的に葉書きと同一の厚みをもったものを使用していた。
【０００３】
【考案が解決しようとする課題】
従来技術のように、広告用印刷物に葉書きを付ける場合、葉書きと同一の厚さ及び重さ等の条件に適合させるには厚紙を使用すること、又は薄い紙を２枚重ねること等をしなければならず費用がかなり嵩み採算が合わないという問題点があった。
【０００４】
そこで、本考案は、広告用印刷物に葉書きを付けても広告の量が多いことで、広告用印刷物の費用の採算を取ることが出来、かつレスポンスを多く期待できる広告用印刷物を提供することを目的とする。
【０００５】
【課題を解決するための手段】
前記目的を達成するため、本考案の葉書き付き広告用印刷物は、
一枚の用紙の左右の周辺に剥離可能な接着剤を塗布し、一枚の用紙を左右に開くことが出来るように左右から折り、圧着していること，
広告用印刷物の所定の箇所に切り取り可能に葉書きが設けられていること，からなる。
【０００６】
又、本考案の葉書き付き広告用印刷物は、
一枚の用紙を左右から折り、一方側は開くことが出来るように剥離可能な接着剤が内面に塗布され、他方側は接着剤が内面に塗布され、両側とも圧着されていること，
他方側の下部の所定の箇所に切り取り可能に葉書きが設けられていること，
からなる。
【０００７】
さらに、本考案の葉書き付き広告用印刷物は、
当該広告用印刷物がブック型であること，
当該ブック型広告用印刷物の表紙の内側と裏表紙の内側とが剥離可能に接着するように所定の箇所に剥離可能な接着剤が塗布され、圧着されていること，
当該ブック型広告用印刷物の表紙の表面はデザイン及び文章が施されていること，
その表紙を開いたなかのページには広告の内容が具体的に記載されていること，
さらに、ブック型広告用印刷物の中の所定のページに葉書き付き広告用印刷物が設けられていること，
当該葉書き付き広告用印刷物は一枚の紙を２枚に折ったものであり，
当該一枚の紙を２枚に折った上の部分の表面はデザイン及び文章が施されており，
当該上の部分の表面を開いた内側の面には広告の内容が具体的に記載されており，
さらに、下部は葉書きとなっており，上の部分と下部である葉書きとの間には葉書きを切り取るための切り取り線が付けられていること，
からなる。
【０００８】
本考案に用いられる広告用印刷物は表面に広告を読む人が中を開いて見てみたくなるような興味を惹くようなデザイン及び文章等が施されていて、当該表面を開いた際に見ることの出来る具体的かつ詳細なデザイン、文章及び情報が左及び右の裏面並びに中面に記載されているものである（本願出願人の実願２００３−１４８４を参照）。
したがって、広告を読む人に本来、広告として読者に読んでもらいたい事項を確実に読ませることが出来るので、その広告に掲載されている商品等を当該会社等に注文することが必然的に増えてくるものである。そこで広告用印刷物自体に葉書きが付いていれば、その葉書きにてすぐに注文を出すことが出来ることになり、一般消費者等の多数のレスポンスを期待出来、広告に掲載されている商品等の購買力をより一層高めることが出来、広告としての機能をより効果的に発揮することが出来るものである。
【０００９】
【考案の実施の形態】
以下、本考案の実施の形態の一例を図面に基づいて説明する。
図１は通常行われている方法で一枚の用紙の左１右２の周辺（左１，右２の上、下、右横側８，左横側８’）に剥離可能な接着剤が塗布され、一枚の用紙を左右に開くことが出来るように左右から折り圧着し、切り取り可能に葉書きが設けられている広告用印刷物を示す図である。
広告用印刷物の表面の右下側に葉書き４が設けられていて、切り取り線であるミシン目５が入れられ、葉書き４を切り取ることが出来るようになっている。このことから分かるようにこの広告用印刷物は、開く箇所、７，７’より左１，右２に開くことが出来るようになっており、用紙を２枚重ねたようになっている。したがって葉書き４も葉書きの厚さにすることが出来、葉書としての重さ、厚さ等の条件を適合させることが出来るものである。
【００１０】
図２は図１の葉書き付き広告用印刷物から葉書き４を切り取って開いた状態を示す図である。
図２は葉書き４の上の部分９が開くようになっているが、デザイン上等の都合により開かないようにしても良い（図示せず）。
図１の表面には中を開いてみたくなるようなデザイン、文章等が施され、その表面６を左１と右に開くと左１及び右２の内側（裏面）並びに中面３に具体的かつ詳細な情報が掲載されているようになっているので、その情報をみて、広告に対する返事、即ち、レスポンスを期待できるのであるがすでに葉書き４が切り取ってあるのでレスポンスを出すのも手間が掛からず簡単に出すことが出来、そのため広告の効果を非常に上げることが出来るものである。
【００１１】
又、本考案の葉書き付き広告用印刷物は左右に開くことが出来るので紙を２枚使用する形式になっているが、葉書き４は２枚の紙を重ね合わせたようになっているので葉書を４を切り取らないと葉書４が設けられている側を開くことが出来ないようになっている。そのため広告を全部読むためには葉書を先に切り取らなければならないので、広告を読んでから葉書きを切り取って送付するという場合に比べて、葉書を送付することが格段に増えるようになるものである。
【００１２】
又、従来技術のように紙を２枚重ね合わせたものは１枚目の裏面、２枚目の表面に広告の掲載がないが、本考案は１枚目の裏面（開いた際の左及び右の裏面）、２枚目の表面（中面）にも広告を掲載でき広告量が従来のものより非常に多く掲載できるものである。
【００１３】
図３は本考案の別の実施例を示す図である。
本実施例におけるの葉書き付き広告用印刷物は、
一枚の用紙を左右から折り、一方側は開くことが出来るように剥離可能な接着剤が内面に塗布され、他方側は接着剤が内面に塗布され、両側とも圧着され，かつ右側の下部に葉書き４が設けられているものである。その葉書き４には切り取り線であるミシンン目５が入っている。開く箇所７より、即ち左１の右横側８より左１に開くことが出来るようになっている。表面６の左１の部分及び葉書き４の上の部分９には中を開いて見てみたくなるようなデザイン、文章が施されている。又前述の図１に示された実施例と同様に葉書き４を切り取らないと表面６の左１に開くことが出来ず、又上の部分９は本図面ではデザイン上等の理由により開かないようになっているが、下記の図４のように開くことが出来るようにしても良い。
【００１４】
図４は本考案のさらに別の実施例を示す図である。
図４に示す本考案の葉書き付き広告用印刷物はブック型の広告用印刷物の中で使用されるものであり、当該ブック型広告用印刷物は表紙の内側と裏表紙の内側とが剥離可能に接着するように所定の箇所に剥離可能な接着剤が塗布され、圧着されており，即ち、表紙と裏表紙の間にあるページは表紙と裏表紙のサイズより小さくなっていて、それにより表紙と裏表紙のページよりはみだしている部分に剥離可能な接着剤が塗布され、圧着されることであり、当該ブック型広告用印刷物の表紙の表面は中を開いてみたくなるような興味を惹くデザイン及び文章が施されていて，その表紙を開いた中のページには広告の内容が具体的に記載されていることからなるものである。
そのブック型の広告用印刷物の所定のページに葉書き付き広告用印刷物４が設けられているものである。さらに、当該葉書き付き広告用印刷物は一枚の紙を２枚に折り、上の部分９の表面は中を開いてみたくなるような興味を惹くデザイン、文章等が施され，上の部分９の下部は葉書４となっている。上の部分９と下部の葉書４の間には切り取り線であるミシン目５が入れられている。
上の部分９は上部及び右側が接着剤で接着されておらず、葉書４をミシン目５より切り取ってから左にすぐに開くことが出来るものである。上の部分９の表面には同様に中を開いてみたくなるような興味を惹くデザイン、文章等が施され，その表面を左に開くと開いた内側の面には具体的かつ詳細な情報が記載されている。即ち開いてみたいという手段が２回施されていて、広告を見る人にさらなる興味を与えることが出来、しかも葉書４が付いているので多数のレスポンスを期待出来るものである。
【００１５】
図５は図４の葉書き付き広告用印刷物から葉書き４を切り取って開いた状態を示す図である。
葉書き４を切り取ってから上の部分９を開く箇所７から左に開くものである。
図４及び図５の実施例はブック型の広告用印刷物であり、したがって広告の種類、量等が多数掲載されているので、葉書きも最適なページに設けるようになっている。
【００１６】
本考案は以上の構成を有するので、広告用印刷物に葉書きを付けても広告の量が多いことで広告用印刷物の費用の採算を取ることができ、多数のレスポンスを期待出来、広告に掲載されている商品等の購買力を高めることが出来るものである。
【図面の簡単な説明】
【図１】本考案の切り取り可能な葉書きが設けられていることを示す図である。
【図２】図１の葉書き付き広告用印刷物から葉書きを切り取って開いた状態を示す図である。
【図３】本考案の別の実施例を示す図である。
【図４】本考案の葉書き付きブック型広告用印刷物を示す図である。
【図５】図４の葉書き付きブック型広告用印刷物から葉書きを切り取って開いた状態を示す図である。
【符号の説明】
１　　　　左
２　　　　右
３　　　　中面
４　　　　葉書き
５　　　　ミシンン目
６　　　　表面
７，７’　開く箇所
８　　　　右横側
８’　　　左横側
９　　　　上の部分